(57)【要約】【課題】ＳＯＨＯ利用者向けに別系統の配線、およびラックを用意することにより、マンション内の住戸でありながらＩＴ対応事務所ビルのテナントと同様の運用を可能とする。【解決手段】集合住宅の入居者がプロバイダによるネットワーク情報サービスの提供を受けるために用いる集合住宅向けネットワーク情報サービス利用システムであって、集合住宅の専用部に敷設される一般配線１１とは別に、在宅で事業を行う入居者向けにＳＯＨＯ配線１２が敷設され、それぞれの配線を介し、それぞれが必要とするプロバイダとの間に構築される通信インフラストラクチャに接続することにより、そのサービス提供を受ける。また、それぞれの配線を束ね、制御するＬＡＮ制御機器は、独立した１９インチラック２１、２２に収容され、セキュリティを確保する。【選択図】　　　図１
2004064399.tif 000002
【特許請求の範囲】
【請求項１】
集合住宅の入居者がプロバイダによるネットワーク情報サービスの提供を受けるために用いる集合住宅向けネットワーク情報サービス利用システムであって、
前記集合住宅の専用部に敷設される第１の電話回線とは別に、在宅で事業を行う入居者向けに第２の電話回線が敷設され、
前記それぞれの電話回線を介し、それぞれが必要とするプロバイダとの間に構築される通信インフラストラクチャに接続することにより、そのサービス提供を受けることを特徴とする集合住宅向けネットワーク情報サービス利用システム。
【請求項２】
前記集合住宅の共有部に設置され、前記第１の電話回線をシェアして特定のポートにのみパケットをスイッチングするスイッチングハブと、加入者端末用の前記ポートを備え、前記第１の電話回線を用いたパケット交換または電話交換サービスを行う集線モデムとを収容する第１のラックと、
前記集合住宅の共有部に設置され、前記第２の電話回線をシェアして、特定のポートにのみパケットをスイッチングするスイッチングハブと、加入者端末用の前記ポートを備え、前記第２の電話回線を用いたパケット交換または電話交換サービスを行う集線モデムとを収容する第２のラックと、
を備えたことを特徴とする請求項１に記載の集合住宅向けネットワーク情報サービス利用システム。
【請求項３】
前記第２の電話回線に、専用部にルータを介して設置される商用サーバが接続されることを特徴とする請求項１に記載の集合住宅向けネットワーク情報サービス利用システム。
【請求項４】
前記プロバイダとの間に構築される通信インフラストラクチャは、前記第１と第２の電話回線と、前記集合住宅に引き込まれる光ファイバによる通信回線を通信媒体とすることを特徴とする請求項１に記載の集合住宅向けネットワーク情報サービス利用システム。
【発明の詳細な説明】
【０００１】
【発明の属する技術分野】
本発明は、マンション等の集合住宅に敷設されたインターネット回線を入居者で共有することにより常時接続サービスを利用でき、特に、ＳＯＨＯ用途に利用して好適な集合住宅向けネットワーク情報サービス利用システムに関する。
【０００２】
【従来の技術】
マンション棟内にＬＡＮ（Ｌｏｃａｌ・Ａｒｅａ・Ｎｅｔｗｏｒｋ）を構築し、インターネット回線を入居者で共有することにより、定額、低料金でインターネットの常時接続サービスを利用可能なインターネットマンションが知られている。
ところで、マンションの入居者の中には、単に生活の拠点としてのみならず、ビジネスの拠点としても利用する入居者が増えてきた。ＳＯＨＯ（Ｓｍａｌｌ・Ｏｆｆｉｃｅ・Ｈｏｍｅ・Ｏｆｆｉｃｅ）ワーカーがその代表例である。ＳＯＨＯとは、情報通信ネットワークや各種情報処理機器を駆使して仕事を行う知的空間としての小規模なオフィスをいう。また、企業によってはマンションをサテライトオフィスとして利用することもある。
【０００３】
【発明が解決しようとする課題】
上記したインターネットマンションをＳＯＨＯ利用する場合、以下に列挙する（１）〜（４）の問題が発生し、従来、ＩＴ（Ｉｎｆｏｒｍａｔｉｏｎ・Ｔｅｃｈｎｏｌｏｇｙ）対応事務所ビルのテナントと同様の運用を行うことは不可能であった。
（１）ＳＯＨＯ利用を前提とした場合、利用するユーザにより、回線品質のニーズが異なる（１Ｍｂｐｓ〜１０Ｍｂｐｓ）。
（２）マンション共用部に設置されるスイッチングハブによりマンション棟内のセキュリティは基本的に確保されているが、ＳＯＨＯユーザには十分でない。
（３）上記した（１）・（２）を要因として自らが専用のインターネット回線を引き込み利用しようと思っても共用部の配線ルートがなく、配線の後工事は不可能であった。
（４）マンション向けサービスは、サーバ設置が不可能な商用利用できない個人向けを主としたサービス構成であり、それに対応したコスト提供である。従って新規にＳＯＨＯ向けメニューが必要となってくる。
【０００４】
本発明は上記諸々の事情に鑑みてなされたものであり、ＳＯＨＯ利用者向けに別系統の配線、およびラックを用意することにより、マンション内の住戸でありながらＩＴ対応事務所ビルのテナントと同様の運用を可能とする、集合住宅向けネットワーク情報サービス利用システムを提供することを目的とする。
【０００５】
【課題を解決するための手段】
請求項１に記載の発明は、集合住宅の入居者がプロバイダによるネットワーク情報サービスの提供を受けるために用いる集合住宅向けネットワーク情報サービス利用システムであって、前記集合住宅の専用部に敷設される第１の電話回線とは別に、在宅で事業を行う入居者向けに第２の電話回線が敷設され、前記それぞれの電話回線を介し、それぞれが必要とするプロバイダとの間に構築される通信インフラストラクチャに接続することにより、そのサービス提供を受けることを特徴とする。
【０００６】
請求項１に記載の発明によれば、一般入居者とＳＯＨＯ利用者様に別系統の電話回線を敷設しておくことにより、入居者はその電話回線を選択し、かつ、利用者によって異なる品質を持つ通信回線および情報サービスプロバイダを選択利用することで、マンション内住戸でありながらＩＴ対応事務所ビルのテナントと同様な運用が可能になる。
【０００７】
請求項２に記載の発明は、請求項１に記載のネットワーク情報サービス利用システムにおいて、前記集合住宅の共有部に設置され、前記第１の電話回線をシェアして特定のポートにのみパケットをスイッチングするスイッチングハブと、加入者端末用の前記ポートを備え、前記第１の電話回線を用いたパケット交換または電話交換サービスを行う集線モデムとを収容する第１のラックと、前記集合住宅の共有部に設置され、前記第２の電話回線をシェアして、特定のポートにのみパケットをスイッチングするスイッチングハブと、加入者端末用の前記ポートを備え、前記第２の電話回線を用いたパケット交換または電話交換サービスを行う集線モデムとを収容する第２のラックと、を備えたことを特徴とする。
【０００８】
請求項２に記載の発明によれば、スイッチングハブと集線モデムを収容した別系統のラックを用いそれぞれの回線を収容することで、セキュリティの確保が可能となり、また、配線後は工事が不要となる。
【０００９】
請求項３に記載の発明は、請求項１に記載のネットワーク情報サービス利用システムにおいて、前記第２の電話回線には専用部にルータを介して設置される商用サーバが接続されることを特徴とする。
【００１０】
請求項３に記載の発明によれば、第２の回線に接続される商用サーバにより、別途用意されるＳＯＨＯサービスメニューを利用して、例えば、ドメメイン取得、ホスティングサービス等を行い、商用利用が可能となる。
【００１１】
請求項４に記載の発明は、請求項１に記載のネットワーク情報サービス利用システムにおいて、前記情報サービスプロバイダとの間に構築される通信インフラストラクチャは、前記集合住宅に敷設される第１と第２の電話回線と、前記集合住宅に引き込まれる光ファイバによる通信回線を通信媒体とすることを特徴とする。
【００１２】
請求項４に記載の発明によれば、光ファイバによる専用線を通信媒体とするため、マンション等集合住宅の居住者に対してブロードバンドのインターネットサービス提供が可能になる。
【００１３】
【発明の実施の形態】
図１は、本発明のネットワーク情報サービス利用システムの一実施形態を説明するために引用した図である。
図１に示すように、マンション内にはイーサネット（登録商標）によるＬＡＮ回線が張りめぐられており、専用部１（各住戸）に一般入居者用に敷設された電話回線１１（以下、一般配線という）には加入者端末１３が接続される。専用部１にはまた、ＳＯＨＯ入居者のために別系統の電話回線１２（以下、ＳＯＨＯ配線という）も敷設されており、このＳＯＨＯ配線１２には、ルータ１４を介して商用サーバ１５が接続される。
一方、共用部２には、電子機器収容箱である１９インチラック２１、２２（ＪＩＳ規格やＥＩＡ規格によってそれぞれ標準化され、パネル面の横幅が１９インチ（４４．４５ｍｍ）の整数倍と定められている）が設置され、それぞれに後述するＬＡＮ制御機器が収納されている。ここで、ＬＡＮ制御機器は、スイッチングハブ、ルータ、集線モデム等から構成される。以降、便宜上１９インチラック２１を一般ラック、１９インチラック２２をＳＯＨＯラックと称する。
【００１４】
スイッチングハブは、一般配線１１、あるいはＳＯＨＯ配線１２を束ねて特定のポートにのみパケットをスイッチングする機能を持ち、集線モデムは、加入者端末１３（商用サーバ１５）用のポートを備え、束ねられた配線を用いてパケット交換、あるいは電話サービスを行う機能を持つ。ルータは、マンション１内に構築される有線ＬＡＮと、マンション外に構築されるＬＡＮ間データの中継、あるいは交換を行うコンピュータである。いずれも詳細は後述する。
上記した一般ラック２１、ＳＯＨＯラック２２は、集線モデムまで光ファイバケーブル等の高速インターネット回線３を引き込み、インターネット５によるネットワーク情報サービスを行うプロバイダ（ＩＳＰ：Ｉｎｔｅｒｎｅｔ・Ｓｅｒｖｉｃｅ・Ｐｒｏｖｉｄｅｒ）のコンピュータ４に接続されている。このようにしてマンション内各住戸に個人用、あるいはＳＯＨＯ用インターネット常時接続環境が設備されている。
【００１５】
なお、運用の形態として、ＳＯＨＯ利用者は、ＳＯＨＯ配線１２およびＳＯＨＯラック２２を、例えば、管理組合から借り受け、自社（自分）が希望する品質を持つ通信媒体である高速インターネット回線３、およびＩＳＰ４を選択して利用する。
この運用により、マンション内の住戸でありながら、希望するユーザは、ＩＴ対応事務所テナントと同様な運用も可能となる。管理組合としては、共用設備の一部を駐車場同様受益者負担で運用することにより、組合会計に利益を落とすことも可能になる。
【００１６】
図２は、図１に示す一般ラック、ＳＯＨＯラックのそれぞれに収納されるＬＡＮ制御機器の接続構成を示すブロック図である。
ＬＡＮ制御機器は、光回線終端装置（ＯＮＵ）２２１と、ルータ２２２と、スイッチングハブ（Ｓ−ＨＵＢ）２２３と、マンションの、例えばフロア単位に配置される複数の集線モデム装置（ＭＤＵ）２２４で構成される。
ＯＮＵ２２１は、ＩＳＰのコンピュータ４とは高速インターネット回線３である光ファイバケーブルを介して接続され、ＩＳＰのコンピュータ４からこの光ファイバケーブルを介して送出される直流信号を電話回線に応じた信号形式に変換する他、制御ビットの挿入を行い送受信するディジタル回線用の光宅内回線終端装置である。
【００１７】
ルータ１１２は、マンション内に構築されるＬＡＮと、マンション外に構築される、例えば周辺地域の無線ＬＡＮ等、複数のＬＡＮを接続するコンピュータであって、ＬＡＮ間データの中継、あるいは交換を行う。ルータ１１２の基本的な機能の一つであるパケット転送は、パケットに書き込まれてあるヘッダ情報を参照することにより目的の加入者端末を含むコンピュータに必要なデータを転送する。
パケットのヘッダ情報には、ネットワーク機器のネットワークインタフェースカード（ＮＩＣ）固有のＭＡＣアドレス（Ｍｅｄｉａ　Ａｃｃｅｓｓ　Ｃｏｎｔｒｏｌ）とＩＰルーティングに必要な転送先のＩＰアドレスが書き込まれており、この２つのアドレスを参照することでデータの転送処理を実現している。マンション内に構築されるＬＡＮ制御機器では、インターネットの常時接続に使用される専用型のポイント・ツー・ポイントのプロトコルに従いアドレス認証が行なわれることとする。詳細は、同社から平成１３年２月１９日に出願済みの特願２００１−４２０８８に開示されている。
【００１８】
スイッチングハブ２２３は、ＬＡＮスイッチとも呼ばれるネットワークケーブルを束ねる集線装置であり、特定のポートにしかパケットを転送しないブリッジ機能を有し、イーサネット（登録商標）ＬＡＮ特有の衝突やトラフィックを軽減した高速ネットワーク環境を実現する。ここでは、スイッチングハブ２２３が内蔵するポートに、マンションのフロア毎に設置された複数のＭＤＵ２２４が接続される。
ＭＤＵ２２４は、マンション内に敷設された電話線を用いてパケットの交換と電話サービスとを行う、ＬＡＮ接続された加入者端末のための接続用ポートを持つ集線モデムである。
【００１９】
図３に、マンションの各フロアに設置されるＭＤＵ２２４の配線接続構造を示す。ここでは、ＨｏｍｅＰＮＡ（Ｐｈｏｎｅｌｉｎｅ　Ｎｅｔｗｏｒｋｉｎｇ　Ａｌｌｉａｎｃｅ）と称される家庭内にある電話線を利用するネットワークの規格が用いられ、接続や設定が容易であると共に、既設の電話線を利用するため配線工事やケーブル費用を要しない。
ＭＤＵ２２４は、８戸分の加入者端末接続用のポート（８個の電話ジャックの接続口）を備え、更に、ルータ１１２等ゲートウェイデバイスのためにイーサネット（登録商標）ポートを備えている。ここでは、イーサネット（登録商標）ケーブル（ＣＡＴ線）を介してルータ１１２が接続される。また、各住戸に設置された加入者端末は、ＭＤＵ２２４のポート、電話線（ＵＴＰ：Ｕｎ−ｓｈｉｅｌｄｅｄ　Ｔｗｉｓｔｅｄ・Ｐａｉｒ）を介してジャックパネルに接続され、ＭＤＦ（マルチ接続可能な端子板）の接続端子を介して各住戸への電話配線、および通信事業者が管理する電話交換網に接続される。
なお、ＭＤＵ２２４は、直接ＭＤＦにある端子に繋げてもインターネット接続は可能であるが、インターネット線と通信事業者の回線の障害を切り分けするためにここではジャックパネルを使用するものとする。
【００２０】
上記した集合住宅向けネットワーク情報サービス利用システムにより、ＳＯＨＯ入居者は、マンション内の住戸でありながらＩＴ対応事務所ビルのテナントと同様の運用を可能とすることができ、ドメインの取得やホスティングサービス等のＳＯＨＯ向けメニューを用意することで商用利用のための環境を構築することができる。
勿論、一般入居者は、大容量ネット常時接続環境を活かし、これまでにない双方向サービスの利用が可能となる。例えば、ＶｏＩＰ（Ｖｏｉｃｅ　ＩＰ）を利用した格安な電話サービス、ゲームセンタやマンション間で、将棋、麻雀、囲碁、格闘技ゲーム等を行うことのできるネット対戦ゲーム、各種センサにより遠隔モニタリングする遠隔医療、介護サービス、ＣＡＴＶ（Ｃａｂｌｅ　ＴＶ）の機能を吸収したネット放送局、好きな時間に好きなカリキュラムを双方向で学習できる通信教育等である。
【００２１】
【発明の効果】
請求項１に記載の発明によれば、一般入居者とＳＯＨＯ利用者様に別系統の電話回線を敷設しておくことにより、入居者はその電話回線を選択し、かつ、利用者によって異なる品質を持つ通信回線および情報サービスプロバイダを選択利用することで、ＳＯＨＯ入居者は、マンション内住戸でありながらＩＴ対応事務所ビルのテナントと同様な運用が可能になる。一般入居者もまた、大容量ネット常時接続環境を活かし、これまでにない双方向サービスの利用が可能となる。
【００２２】
請求項２に記載の発明によれば、スイッチングハブと集線モデムを備えた別系統のラックを用いそれぞれの回線を収容することで、セキュリティの確保が可能となり、また、配線後は工事が不要となる。
【００２３】
請求項３に記載の発明によれば、第２の回線に接続される商用サーバにより、別途用意されるＳＯＨＯサービスメニューを利用して、例えば、ドメメイン取得、ホスティングサービス等を行い、商用利用が可能となる。
【００２４】
請求項４に記載の発明によれば、光ファイバによる専用線を通信媒体とするため、マンション等集合住宅の居住者に対してブロードバンドのインターネットサービス提供が可能になる。
【図面の簡単な説明】
【図１】本発明の集合住宅向けネットワーク情報サービス利用システムの一実施形態を説明するために引用した図である。
【図２】図１に示す一般ラック、ＳＯＨＯラックのそれぞれに収納されるＬＡＮ制御機器の接続構成を示すブロック図である。
【図３】図２に示すＭＤＵの配線接続構造を説明するために引用した図である。
【符号の説明】
１　　　専有部
２　　　共有部
３　　　高速インターネット回線（光ファイバケーブル）
４　　　ＩＳＰのコンピュータ
５　　　インターネット
１１　　第１の電話回線（一般配線）
１２　　第２の電話回線（ＳＯＨＯ配線）
１３　　加入者端末
１５　　商用サーバ
２１　　第１のラック（一般ラック）
２２　　第２のラック（ＳＯＨＯラック）
２２１　光回線終端装置（ＯＮＵ）
２２２　ルータ
２２３　スイッチングハブ（Ｓ−ＨＵＢ）
２２４　集線モデム（ＭＤＵ）
【図１】
2004064399.tif 000003
【図２】
2004064399.tif 000004
【図３】
2004064399.tif 000005